(57)【要約】【課題】パチンコ遊技機等の遊技機において、球抜き操作部の簡単な操作だけで貯留球をすべて球抜きできるようにする。【解決手段】球供給流路側へバネの付勢により切り換えられている通常状態の流路切換装置７５を切換操作部７６の操作により球抜き流路側へ切り換えて、その流路切換状態の保持をする流路切換状態保持手段９０と、球供給流路底板８４をなし、切換操作部７６の操作により球供給流路側への連通状態と球供給流路側に対し非連通状態で球抜き流路側への連通状態とに変換する流路変換部材８１を備える。この流路変換部材８１を可動に支持するベース盤８５に設けた、ロック用係止片９３を有するロック部材９１と、ロック用係止片９３が挿入可能なガイド溝９４の一部において流路変換部材８１を球抜き流路側への連通状態に保持するようにロック用係止片９３を保持するロック用係止片保持部９５を有するロック受け部材８１とを備える。【選択図】図４
2004329967.tif 000002
【特許請求の範囲】
【請求項１】
球発射装置へ供給する遊技球を貯留しておく球貯留部と、
この球貯留部の遊技球を前記球発射装置へ供給する球供給流路と前記球貯留部から下方に位置する球受け皿へ遊技球を排出する球抜き流路との流路切換動作を行う流路切換装置と、
この流路切換装置を遊技者の操作により切換動作可能とする切換操作部と、を備えた遊技機の球貯留皿において、
前記球供給流路側へバネの付勢により切り換えられている通常状態の前記流路切換装置を遊技者による前記切換操作部の操作により前記球抜き流路側へ切り換えて、該球抜き流路側へ切り換えられた前記流路切換装置の流路切換状態の保持をする流路切換状態保持手段、を備え、
前記流路切換装置は、前記球供給流路の底板を構成し、遊技者による前記切換操作部の操作により前記球供給流路側への連通状態と前記球供給流路側に対し非連通状態で前記球抜き流路側への連通状態とに変換する流路変換部材を備えて、
前記流路切換状態保持手段は、
前記流路変換部材を可動に支持するベース盤に一端部に備えた支点ピンを係合し、他端部にロック用係止片を有するロック部材と、
前記流路変換部材と一体的に備えられ、前記ロック用係止片が挿入可能なガイド溝を有すると共に、このガイド溝の一部において前記流路変換部材を前記球抜き流路側への連通状態に保持するように前記ロック用係止片を保持するロック用係止片保持部を有するロック受け部材と、から構成され、
前記ガイド溝は連続する閉ループ形状のもので、前記ロック用係止片保持部は屈曲部形状となっており、前記ロック用係止片が前記ガイド溝の一側部半周を辿って前記ロック用係止片保持部に至り、他側部半周を辿って通常の位置に至るようにし、
前記切換操作部を操作すると、前記ロック用係止片が前記ガイド溝の一側部半周を辿って前記ロック用係止片保持部に至り前記流路変換部材が球抜き流路側への連通状態に保持され、
前記切換操作部を再度さらに操作することで、
前記ロック部材のロック用係止片が前記ロック用係止片保持部から前記ガイド溝の前記他側部半周を辿り、前記流路変換部材の位置拘束が解除され、前記流路切換装置が前記通常状態に復帰するようにしたことを特徴とする遊技機の球貯留皿。
【請求項２】
当該球貯留皿は、前方に突出した前面体と背面体との間に前記球貯留部が形成される中間体を介設してなり、
前記前面体に取り付けられた前記ベース盤上に前記ロック受け部材を前後方向にスライド自在に組み込み、前記ベース盤に形成された前後方向のガイドピンにコイルバネの一半部を被せて、該コイルバネの他半部を前記ロック受け部材に形成した前後方向のバネ収容部に収容し、前記ロック受け部材はコイルバネの弾発力により後方へスライドする方向に常時付勢されていることを特徴とする請求項１に記載の遊技機の球貯留皿。
【請求項３】
前記切換操作部は外部に露出して前記前面体に組み込まれ、
前記切換操作部の押し込み操作により上端部が押し込まれるとともに、下端部を前記ロック受け部材に連結ピンにより連結されたレバー部材が、前記前面体の背面に支点ピンにより揺動自在に支持されていることを特徴とする請求項２に記載の遊技機の球貯留皿。
【発明の詳細な説明】
【技術分野】
【０００１】
本発明は、パチンコ遊技機等の遊技機における所謂上皿としての球貯留皿に関するものである。
【背景技術】
【０００２】
従来の遊技機、例えば、パチンコ遊技機においては、その遊技機の前面側に、賞球や球貸しにより排出された遊技球を一時的に貯留しておく球貯留皿（上皿）が備えられており、その貯留された遊技球を球送り装置により球発射装置の球発射部へ１個ずつ供給して、遊技を行うようにしていた。
また、遊技機の前面側には、前記球貯留皿（上皿）の下方に位置する球受け皿（下皿）が備えられている。
そして、遊技の終了時や大当り後の出球交換時に、球貯留皿に貯留された貯留球を下方の球受け皿に移すため、球貯留皿に設けられた球抜き操作部を遊技者が操作することによって、球貯留皿から球受け皿へと形成された球抜き流路を開成して、上皿である球貯留皿から下皿としての球受け皿への球抜きを行うようにしていた。
【特許文献１】特開平６−３１９８６０号公報
【発明の開示】
【発明が解決しようとする課題】
【０００３】
以上のように、従来の球貯留皿（上皿）から球受け皿（下皿）への球抜き動作は、遊技者が操作したときのみ行われるものであったため、例えば、大当り終了後の出球交換時などの球貯留皿に貯留された多量の貯留球を球抜きするような場合においては、球抜き操作部の操作を遊技者が球抜き終了まで継続して行わなければならず、このような作業は非常に煩わしいものとなっていた。
さらに、大当り終了後の出球交換時には、球受け皿に球抜きされた遊技球を球受け皿から球箱へ移す動作も行わなければならず、即ち、球受け皿に設けられた球抜き操作部を遊技者が操作して、下皿からの球抜き動作を行わなければならない。
【０００４】
このため、従来は、下皿である球受け皿内の球をすべて球箱へ移すのが終了してから、上皿である球貯留皿の貯留球を前述したように下皿である球受け皿に球抜きして、その球受け皿に球抜きされた球を球箱に再度移す作業をしなければならず、このような作業も時間のかかる非常に煩わしいものとなっていた。
そして、大当り時には通常、多量のセーフ球が発生しているため、一般に、大当り中に賞球排出処理ができなかったセーフ球に対応した分だけ、大当り終了後に賞球排出作動がずれ込む場合が多い。
従って、そのような賞球排出動作が終了するまで、遊技者が前述したような球抜き操作部の操作を継続していなければならず、以上のように時間がかかる非常に煩わしい作業を必要としていた。
【０００５】
そこで、本発明の目的は、パチンコ遊技機等の遊技機において、球抜き操作部の簡単な操作だけで貯留球をすべて球抜きできるようにした球貯留皿を提供することにある。
そして、本発明は、球抜き状態の解除動作も簡単に行え、また、球抜き状態が保持された状態にあることの報知を可能とし、さらに、誤動作等による不本意な球抜き状態の保持を回避できるようにすることも目的としている。
【課題を解決するための手段】
【０００６】
以上の課題を解決すべく請求項１記載の発明は、
球発射装置へ供給する遊技球を貯留しておく球貯留部と、
この球貯留部の遊技球を前記球発射装置へ供給する球供給流路と前記球貯留部から下方に位置する球受け皿へ遊技球を排出する球抜き流路との流路切換動作を行う流路切換装置と、
この流路切換装置を遊技者の操作により切換動作可能とする切換操作部（球抜き操作ボタン）と、を備えた遊技機の球貯留皿において、
前記球供給流路側へバネの付勢により切り換えられている通常状態の前記流路切換装置を遊技者による前記切換操作部の操作により前記球抜き流路側へ切り換えて、該球抜き流路側へ切り換えられた前記流路切換装置の流路切換状態の保持をする流路切換状態保持手段、を備え、
前記流路切換装置は、前記球供給流路の底板を構成し、遊技者による前記切換操作部の操作により前記球供給流路側への連通状態と前記球供給流路側に対し非連通状態で前記球抜き流路側への連通状態とに変換する流路変換部材を備えて、
前記流路切換状態保持手段は、
前記流路変換部材を可動に支持するベース盤に一端部に備えた支点ピンを係合し、他端部にロック用係止片を有するロック部材と、
前記流路変換部材と一体的に備えられ、前記ロック用係止片が挿入可能なガイド溝を有すると共に、このガイド溝の一部において前記流路変換部材を前記球抜き流路側への連通状態に保持するように前記ロック用係止片を保持するロック用係止片保持部を有するロック受け部材と、から構成され、
前記ガイド溝は連続する閉ループ形状のもので、前記ロック用係止片保持部は屈曲部形状となっており、前記ロック用係止片が前記ガイド溝の一側部半周を辿って前記ロック用係止片保持部に至り、他側部半周を辿って通常の位置に至るようにし、
前記切換操作部を操作すると、前記ロック用係止片が前記ガイド溝の一側部半周を辿って前記ロック用係止片保持部に至り前記流路変換部材が球抜き流路側への連通状態に保持され、
前記切換操作部を再度さらに操作することで、
前記ロック部材のロック用係止片が前記ロック用係止片保持部から前記ガイド溝の前記他側部半周を辿り、前記流路変換部材の位置拘束が解除され、前記流路切換装置が前記通常状態に復帰するようにした構成を特徴としている。
【０００７】
請求項１の発明によれば、遊技機の流路切換装置用の切換操作部（球抜き操作部）を備える球貯留皿（上皿）において、さらに、球抜き流路側への流路切換状態に保持する流路切換状態保持手段を備えたので、通常は球供給流路側へ流路切換状態にある流路切換装置を、遊技者による切換操作部（球抜き操作部）の操作により球抜き流路側へ切り換えると、そのまま従来のような遊技者による操作の継続を必要とせずに、球抜き流路側への流路切換状態に保持される。
従って、遊技者が切換操作部（球抜き操作部）の簡単な操作をするだけで、球貯留皿（上皿）の貯留球をすべて、例えば、下方の球受け皿（下皿）等へ球抜きできるようになる。
すなわち、球供給流路の底板を構成する流路変換部材（スライド部材）と、流路変換部材（スライド部材）を可動に支持するベース盤に一端部に備えた支点ピンを係合し、他端部にロック用係止片を有するロック部材と、流路変換部材（スライド部材）と一体的に備えられたロック受け部材と、を備えたので、遊技者による切換操作部（球抜き操作ボタン）の操作により流路変換部材（スライド部材）を球供給流路側への連通状態から球抜き流路側への連通状態に変換すると、ロック受け部材のガイド溝に挿入状態のロック用係止片がロック用係止片保持部で保持される。これにより、流路変換部材（スライド部材）が球抜き流路側への連通状態にロックされる。
そして、球抜き後は、遊技者が切換操作部（球抜き操作ボタン）を球抜き解除操作、例えば、球抜き方向に再度操作すると、ロック用係止片のロック用係止片保持部による保持が解除されて、流路変換部材（スライド部材）が球抜き流路側への連通状態から球供給流路側への連通状態に変換動作して、球抜き状態が解除される。
すなわち、切換操作部を再度さらに操作することで、ロック部材のロック用係止片がロック用係止片保持部からガイド溝の他側部半周を辿り、流路変換部材の位置拘束が解除され、流路切換装置が通常状態に復帰する。
従って、前述したように球抜き状態のロック状態が確実に行え、しかも、球抜き流路内に遊技球がない状態では球抜き状態のロックができないため、遊技者が切換操作部（球抜き操作レバー）を球抜き解除操作（球抜き方向に再度操作）しておくことで、球抜き後の遊技再開時に不本意（例えば、誤動作による）な球抜き状態となるのを防止できる。
【０００８】
請求項２に記載の発明は、
請求項１に記載の遊技機の球貯留皿であって、
当該球貯留皿は、前方に突出した前面体と背面体との間に前記球貯留部が形成される中間体を介設してなり、
前記前面体に取り付けられた前記ベース盤上に前記ロック受け部材を前後方向にスライド自在に組み込み、前記ベース盤に形成された前後方向のガイドピンにコイルバネの一半部を被せて、該コイルバネの他半部を前記ロック受け部材に形成した前後方向のバネ収容部に収容し、前記ロック受け部材はコイルバネの弾発力により後方へスライドする方向に常時付勢されていることを特徴とする。
【０００９】
請求項３に記載の発明は、
請求項２に記載の遊技機の球貯留皿であって、
前記切換操作部は外部に露出して前記前面体に組み込まれ、
前記切換操作部の押し込み操作により上端部が押し込まれるとともに、下端部を前記ロック受け部材に連結ピンにより連結されたレバー部材が、前記前面体の背面に支点ピンにより揺動自在に支持されていることを特徴とする。
【発明の効果】
【００１０】
以上のように、請求項１記載の発明に係る遊技機の球貯留皿によれば、流路切換装置用の切換操作部に加えて、球抜き流路側への流路切換状態に保持する流路切換状態保持手段を備えているため、通常は球供給流路側へ流路切換状態にある流路切換装置を、遊技者による切換操作部の操作により球抜き流路側へ切り換えることによって、そのまま従来のような遊技者による操作の継続を必要とせずに、球抜き流路側への流路切換状態を保持することができる。
従って、遊技者が切換操作部の簡単な操作をするだけで、球貯留皿の貯留球をすべて下方の球受け皿等へ球抜きすることができる。
この結果、例えば、パチンコ遊技機での大当り終了後の出球交換時において、球貯留皿に貯留された多量の貯留球を球抜きする場合でも、遊技者による切換操作部の１回の操作により球抜きがすべて行われるため、簡単であり、従来の如く遊技者が切換操作し続けるような操作の煩わしさを解消することができる。
また、例えば、上皿である球貯留皿の貯留球と下皿としての球受け皿の貯留球の球抜きを同時に行うことができるようになり、従って、従来よりも迅速に出球の交換作業を行うことができるようになる。
また、流路切換状態保持手段を備えた上で、球供給流路の底板をなす流路変換部材と、流路変換部材可動用のベース盤側のロック用係止片を有するロック部材と、流路変換部材と一体的なロック受け部材と、を備えているため、遊技者が切換操作部を操作して流路変換部材を球抜き流路側への連通状態に変換することで、ロック受け部材のガイド溝に挿入状態のロック用係止片をロック用係止片保持部に保持させて、流路変換部材を球抜き流路側への連通状態にロックすることができる。
従って、ロック受け部材のガイド溝に挿入状態のロック用係止片をロック用係止片保持部により保持させたことによって、球抜き状態を確実にロック状態にしておくことができる。
そして、球抜き後は、遊技者が切換操作部を球抜き解除操作して、ロック用係止片のロック用係止片保持部による保持を解除させることで、球抜き状態を解除することができる。
このように、遊技者が切換操作部を球抜き解除操作しておくことで、球抜き後の遊技再開時に、誤動作等による不本意な球抜き状態となるのを防止することができる。
【発明を実施するための最良の形態】
【００１１】
以下に、本発明に係る遊技機の球貯留皿の実施形態例を図１から図５に基づいて説明する。
【００１２】
図１は本発明を適用した一例としてのパチンコ遊技機における球貯留皿（上皿）部分の実施形態例を斜め前方から見た状態で示す外観斜視図であり、図２はその内部の流路変換部材（スライド部材）、ベース盤およびロック部材等を示した要部分解斜視図である。
これら図１および図２において、７０は球貯留皿、７１は前面体、７２は背面体、７３は中間体、７４は球貯留部、７５は流路切換装置、７６は切換操作部（球抜き操作ボタン）、７７は押し片部、７８はレバー部材、８１は流路変換部材（スライド部材）、８４は球供給流路底板、８５はベース盤、９０は流路切換状態保持手段、９１はロック部材、９３はロック用係止片（ロックピン）、９４はガイド溝、９５はロック用係止片保持部（ロックピン保持部）である。
【００１３】
即ち、実施形態例において、パチンコ遊技機の球貯留皿７０部分は、図示のように、前面体７１と背面体７２との間に中間体７３を介設してなるもので、前面体７１の前方へ突出した部分に、中間体７３に形成した球貯留部７４が位置しており、７４ａは球流入穴である。
そして、以上の球貯留皿７０部分の内部には後述する流路切換装置７５等が構成される。
流路切換装置７５は、前面体７１に組み込まれて外部に露出する切換操作部としての球抜き操作ボタン７６と、この球抜き操作ボタン７６の押し込み操作により前後方向に揺動するレバー部材７８と、このレバー部材７８の下端部を組み込んで前後方向にスライド動作する流路変換部材としてのスライド部材８１と、このスライド部材８１に一体に形成した球供給流路底板８４とから構成される。
【００１４】
さらに、詳細には、球抜き操作ボタン７６は、その押し込み操作により前面体７１から後方に突出する押し片部７７を一体に有するもので、この押し片部７７によりレバー部材７８の上端部が押し込まれる。
レバー部材７８は、前面体７１の背面に設けた取付ボス７９に支点穴８０にて図示しない支点ピンにより揺動自在に支持されるもので、この支点穴８０より上方部が前記押し片部７７により押し込まれる。
そして、このレバー部材７８は、その下端部を、スライド部材８１上に設けた取付ボス８２に連結ピン８３により連結されている。
【００１５】
また、球供給流路底板８４を一体に備えるスライド部材８１は、ベース盤８５上に前後方向にスライド自在に組み込まれている。
即ち、図３にも拡大して示すように、ベース盤８５上にスライド部材８１を載せて、ベース盤８５上に形成した前後方向のガイドピン８６に、圧縮コイルバネによるリターンバネ８７の一半部を被せて、このリターンバネ８７の他半部を、スライド部材８１上に形成した前後方向のバネ収容部８８内に収容する。
こうして、スライド部材８１は、前面体７１の内部に取り付ける等した固定のベース板８５により前後方向へスライド自在に案内されて、中間体７３に形成したスライド部材ガイドスリット７３ａに組み込まれており、かつ、前記リターンバネ８７の弾発力によって後方へスライドする方向に常時付勢されている。
【００１６】
なお、スライド部材８１に一体に形成した球供給流路底板８４は、背面体７２に形成した図示しない底板ガイドスリットに組み込まれて前後方向にスライド自在となっている。その底板ガイドスリットの上方に、背面体７２に形成した図示しない球排出穴が開口しており、その球排出穴は、前記球貯留部７４に形成した図示しない球排出穴に連通している。
そして、背面体７２の背面側には、球供給流路底板８４の一側方に位置する図示しない球供給流路が形成されると共に、球供給流路底板８４の下方に位置する図示しない球抜き流路が形成されており、球供給流路側に図示しない球送り手段が配設されている。球供給流路は前記球貯留部７４に貯留された遊技球を図示しない球発射装置へ供給するためのものであり、球抜き流路は前記球貯留部７４に貯留された遊技球をその下方に位置する所謂下皿としての図示しない球受け皿に抜くためのものである。また、前記底板ガイドスリットは、前記球供給流路側が下がるよう斜めに形成されている。
【００１７】
以上の構成による流路切換装置７５を備えたパチンコ遊技機の球貯留皿７０において、球供給流路底板８４を一体に形成したスライド部材８１を、球抜き通路側に球供給通路底板８４が連通する状態に保持する流路切換状態保持手段９０を備えている。
この流路切換状態保持手段９０は、図２に示すように、ベース盤８５上に形成したピン穴８９に係合する支点ピン９２を一端部下面に備えたロック部材９１と、このロック部材９１により位置を拘束されるロック受け部材とから構成されている。
【００１８】
即ち、ロック部材９１の他端部下面にロック用係止片としてのロックピン９３が備えられており、また、スライド部材８１の上面には、図３にも拡大して示すように、前記ロックピン９３が移動自在に係合するガイド溝９４が形成されている。
さらに、このガイド溝９４は、連続する閉ループ形状のもので、球供給流路底板８４側の部分には、ロック用係止片保持部であるロックピン保持部９５が形成されている。このロックピン保持部９５は、閉ループ形状のガイド溝９４をロック部材９１側に一端向かわせて再び戻る屈曲部形状となっている。
従って、以上のようなロックピン保持部９５を有するガイド溝９４を形成したスライド部材８１が、前記ロック受け部材を兼ねている。
【００１９】
以上の構成による流路切換状態保持手段９０を含む流路切換装置７５を球貯留皿７０に備えたパチンコ遊技機によれば、先ず、図１および図３に示したように、球抜き操作ボタン７６を操作しない通常状態では、球供給流路底板８４が、図示しない球抜き流路の上方に突出状態にあって球供給流路側との連通状態に位置していて、この状態が保持されている。
このような球供給流路底板８４の球供給流路側への連通状態において、前記球貯留部７４の球排出穴を経て背面体７２に開口した球排出穴から斜めの底板ガイドスリットに球供給流路底板８４上に遊技球が落下して、球供給流路側へ転がる。そして、図示しない球発射装置と連動する図示しない球送り装置のソレノイドの通電ＯＮ／ＯＦＦにより、図示しない球送り部材が上下方向に揺動動作して、その二股部にて球供給流路底板８４上から遊技球が１個ずつ球供給流路に送られて、球発射装置へと供給される。
【００２０】
そして、球抜き操作ボタン７６を押し込み操作すると、この球抜き操作ボタン７６と一体の押し片部７７が前面体７１から後方に突出して、図４に矢印を付して示したように、この押し片部７７によりレバー部材７８の上端部が押し込まれる。
即ち、レバー部材７８の支点穴８０より上方部が押し片部７７により押し込まれて、レバー部材７８が、支点穴８０廻りに前後方向へ揺動する。
従って、このレバー部材７８の下端部を、取付ボス８２に連結ピン８３により連結したスライド部材８１が、図４に矢印を付して示したように、ベース盤８５上を前方にスライド動作する。
【００２１】
このスライド部材８１の前方へのスライド動作の際に、ロック部材９１のロックピン９３が、図４に矢印を付して示したように、ガイド溝９４の一側部半周を辿ってロックピン保持部９５に至る。
従って、スライド部材８１がその位置でロックされた状態となって、球供給流路底板８４が図示しない球抜き流路の上方に僅かだけ突出した状態となり、図示しない球排出穴から遊技球が球抜き通路内に連続して落ちて図示しない球受け皿に排出され、即ち、球貯留皿７０の球貯留部７４に貯留されたすべての遊技球が球受け皿に排出される。
【００２２】
以上のような球抜きを終えて、その球抜きロック状態を解除するために、図５に矢印を付して示したように、球抜き操作ボタン７６を再度押し込み操作すると、同じく矢印で示したように、ロック部材９１のロックピン９３がロックピン保持部９５を越えることで、球供給流路底板５１の位置拘束が解除される。
その後、ロックピン９３は、ガイド溝９４の他側部半周を辿って、図３に示した通常状態の位置に至る。
従って、球供給流路底板８４は、図３に示したように、通常状態に復帰する。
【００２３】
以上の通り、本発明の実施形態例による流路切換状態保持手段９０を備えたパチンコ遊技機の球貯留皿７０によれば、以下に列挙する諸効果を発揮することができる。
【００２４】
（１）流路切換装置（流路変換部材８１）を球抜き状態に保持可能であるため、簡単な操作だけで球貯留皿（上皿）内の貯留球をすべて球受け皿（下皿）に球抜きすることができる。
（２）大当り終了後の出球交換時において、球貯留皿に貯留された多量の貯留球を球抜きする場合でも、遊技者が切換操作部（球抜き操作ボタン７６）を操作し続けなくても、１回の操作により球抜きがすべて行われるため、簡単であり、従来のような操作の煩わしさがない。
（３）上皿である球貯留皿の貯留球と下皿としての球受け皿の貯留球の球抜きを同時に行うことができ、従来よりも迅速に出球の交換作業が行えるようになる。
（４）遊技者による切換操作部（球抜き操作ボタン７６）の再度の操作によって、流路切換部材（スライド部材８１）の球抜き流路側への流路切換状態の保持を解除できるので、球抜き状態の解除動作が簡単に行える。
【００２５】
（５）ロック部材９１のロック用係止片（ロックピン）９３を、ロック受け部材（スライド部材８１）のガイド溝９４の一部のロック用係止片保持部９５に保持するため、球抜き状態を確実に保持することができる。
【００２６】
なお、本発明は以上の実施形態例に限定されるものではなく、球抜き操作部を含む具体的な細部構造等についても適宜に変更可能であることは勿論である。
また、本発明を適用する遊技機としては、パチンコ遊技機のみに限らず、アレンジボール遊技機等の弾球遊技機であってもよい。
【図面の簡単な説明】
【００２７】
【図１】本発明を適用した一例としてのパチンコ遊技機における球貯留皿（上皿）部分の実施形態例を斜め前方から見た状態で示す外観斜視図である。
【図２】図１の球貯留皿（上皿）および切換操作部（球抜き操作部）と、内部の流路変換部材（スライド部材）、ベース盤およびロック部材等を示した要部分解斜視図である。
【図３】図２の流路変換部材（スライド部材）、ベース盤およびロック部材等を組み付けて切換操作部（球抜き操作部）との関係も併せて斜め前方から見た状態で示した通常状態の拡大斜視図である。
【図４】図３の通常状態からの球抜きロック状態への変化を示す同様の拡大斜視図である。
【図５】図４の球抜きロック状態からの球抜きロック解除状態への変化を示す同様の拡大斜視図である。
【符号の説明】
【００２８】
７０  球貯留皿
７１  前面体
７２  背面体
７３  中間体
７４  球貯留部
７５  流路切換装置
７６  切換操作部（球抜き操作ボタン）
７８  レバー部材
８１  流路変換部材・ロック受け部材（スライド部材）
８４  球供給流路底板
８５  ベース盤
８６  ガイドピン
８７  コイルバネ
８８  バネ収容部
９０  流路切換状態保持手段
９１  ロック部材
９２  支点ピン
９３  ロック用係止片（ロックピン）
９４  ガイド溝
９５  ロック用係止片保持部（ロックピン保持部）
【図１】
2004329967.tif 000003
【図２】
2004329967.tif 000004
【図３】
2004329967.tif 000005
【図４】
2004329967.tif 000006
【図５】
2004329967.tif 000007